(57)【要約】【課題】  カラーマネジメントを伴った高品質な印刷を行なう印刷ジョブを容易に作成して実行する。【解決手段】  印刷画面１００のプリンタ設定領域１０６に設けられたカラーマネジメントシステム（ＣＭＳ）を使用するのチェックボックス１０６ｂにチェックを入力したときには、プリンタと共に設定した出力プロファイルを用いて、何らの色補正も行なわずに忠実に色を再現して印刷しようとするカラーマネジメントシステムを使用して印刷する。これにより、カラーマネジメントを伴った高品質な印刷を行なう印刷ジョブを容易に作成して実行することができる。一方、このカラーマネジメントシステム（ＣＭＳ）を使用するのチェックボックス１０６ｂにチェックを入力しないときには、画像に適当な色補正を行なうルックアップテーブルを用いて印刷する。【選択図】        図１０
2005267043.tif 000002
【特許請求の範囲】
【請求項１】
印刷条件の設定工程を含む複数の工程により印刷ジョブを作成して実行を指示する印刷ジョブ作成装置であって、
ネットワークを介して接続された少なくとも一つの印刷装置から印刷ジョブを実行する印刷装置を設定する印刷装置設定手段と、
該印刷装置設定手段により設定可能な印刷装置に対する色空間情報を記憶する色空間情報記憶手段と、
カラーマネジメントを伴った印刷ジョブの実行を行なうか否かを設定するカラーマネジメント実行設定手段と、
印刷ジョブの実行が要請されたとき、前記カラーマネジメント実行設定手段によりカラーマネジメントを伴った印刷ジョブの実行を行なうと設定されているときには前記印刷装置設定手段により設定された印刷装置で前記色空間情報記憶手段に記憶された色空間情報のうち該設定された印刷装置に対する色空間情報を用いたカラーマネジメントを伴った印刷ジョブの実行がなされるよう該印刷ジョブの実行を指示し、前記カラーマネジメント実行設定手段によりカラーマネジメントを伴った印刷ジョブの実行を行なわないと設定されているときには前記印刷装置設定手段により設定された印刷装置で所定の色処理を伴った印刷ジョブの実行がなされるよう該印刷ジョブの実行を指示するジョブ実行指示手段と、
を備える印刷ジョブ作成装置。
【請求項２】
請求項１記載の印刷ジョブ作成装置であって、
印刷対象としての画像を入力する画像入力手段と、
入力画像の所定の色空間への変換を行なうか否かを設定する色空間変換設定手段と、
該色空間変換設定手段による設定に基づく前記所定の色空間への変換を伴って前記画像入力手段により入力された画像を表示すると共に該表示した画像に対する所定の編集の実行が可能な画像編集手段と、
を備え、
前記カラーマネジメント実行設定手段は、前記色空間変換設定手段により前記入力画像の所定の色空間への変換を行なうと設定されたときにのみ前記カラーマネジメントを伴った印刷ジョブの実行を行なうと設定可能な手段であり、
前記ジョブ実行指示手段は、前記カラーマネジメント実行設定手段によりカラーマネジメントを伴った印刷ジョブの実行を行なうと設定されているときには前記画像編集手段による編集結果に係る画像を用いて前記印刷ジョブの実行がなされるよう指示する手段である
印刷ジョブ作成装置。
【請求項３】
前記所定の色空間は、ｓＲＧＢカラースペースである請求項２記載の印刷ジョブ作成装置。
【請求項４】
前記ジョブ実行指示手段は、前記カラーマネジメント実行設定手段によりカラーマネジメントを伴った印刷ジョブの実行を行なうと設定されているときには前記設定された印刷装置に対する色空間情報を用いて印刷ジョブに係る画像の色変換を行なうと共に該色変換した画像が色補正なしのルックアップテーブルを用いて印刷されるよう指示する手段であり、前記カラーマネジメント実行設定手段によりカラーマネジメントを伴った印刷ジョブの実行を行なわないと設定されているときには印刷ジョブに係る画像が所定の色補正有りのルックアップテーブルを用いて印刷されるよう指示する手段である請求項１ないし３いずれか記載の印刷ジョブ作成装置。
【請求項５】
請求項１ないし４いずれか記載の印刷ジョブ作成装置であって、
印刷ジョブに設定可能な用紙サイズ毎に、印刷ジョブを実行する印刷装置としてネットワークを介して接続されている複数の印刷装置から色空間情報の設定を伴ってデフォルトの印刷装置を設定するデフォルト装置設定手段を備え、
前記印刷装置設定手段は、印刷ジョブに設定された用紙サイズに基づいて前記デフォルト装置設定手段により設定された印刷装置がデフォルト値として設定され、該デフォルト値を変更することにより印刷ジョブを実行する印刷装置を設定する手段である
印刷ジョブ作成装置。
【請求項６】
前記デフォルト装置設定手段は、用紙サイズに対して帳票形式でデフォルトの印刷装置と色空間情報とを設定する手段である請求項５記載の印刷ジョブ作成装置。
【請求項７】
前記デフォルト装置設定手段は、用紙サイズ毎に表示される選択可能な印刷装置の一覧から選択することにより用紙サイズ毎のデフォルトの印刷装置を設定すると共に用紙サイズ毎に表示される選択可能な色空間情報の一覧から選択することにより該設定したデフォルトの印刷装置に対する色空間情報を設定する手段である請求項５または６記載の印刷ジョブ作成装置。
【請求項８】
前記デフォルト装置設定手段は、用紙サイズ毎に設定されたデフォルトの印刷装置に対して用紙種類を設定可能な手段である請求項５ないし７いずれか記載の印刷ジョブ作成装置。
【請求項９】
請求項５ないし８いずれか記載の印刷ジョブ作成装置であって、
前記印刷ジョブ作成手段は、複数種類の印刷サービスから一つの印刷サービスを選択して印刷ジョブを作成する手段であり、
前記デフォルト装置設定手段は、前記印刷サービス毎にデフォルトの印刷装置を設定する手段である
印刷ジョブ作成装置。
【請求項１０】
前記複数種類の印刷サービスは、大伸ばし印刷サービス，ダイジェスト印刷サービス，カレンダー印刷サービス，ポストカード印刷サービス，写真名刺印刷サービス，証明写真印刷サービス，シール印刷サービス，ラベル印刷サービス，アルバム印刷サービスのいずれかを含む請求項９記載の印刷ジョブ作成装置。
【請求項１１】
コンピュータを請求項１ないし１０いずれか記載の印刷ジョブ作成装置として機能させるプログラム。
【請求項１２】
印刷ジョブを作成する印刷ジョブ作成方法であって、
（ａ）ネットワークを介して接続された印刷装置に対する色空間情報を記憶しておき、
（ｂ）ネットワークを介して接続された印刷装置から印刷ジョブを実行する印刷装置を設定し、
（ｃ）カラーマネジメントを伴った印刷ジョブの実行を行なうか否かを設定し、
（ｄ）印刷ジョブの実行が要請されたときには、前記カラーマネジメントを伴った印刷ジョブの実行を行なうと設定したときには前記設定した印刷装置で前記記憶しておいた色空間情報のうち該設定した印刷装置に対する色空間情報を用いたカラーマネジメントを伴った印刷ジョブの実行がなされるよう該印刷ジョブの実行を指示し、前記カラーマネジメントを伴った印刷ジョブの実行を行なわないと設定したときには前記設定した印刷装置で所定の色処理を伴った印刷ジョブの実行がなされるよう該印刷ジョブの実行を指示する
印刷ジョブ作成方法。
【請求項１３】
コンピュータに請求項１２記載の印刷ジョブ作成方法の各ステップを各手順として実行させるプログラム。
【発明の詳細な説明】
【技術分野】
【０００１】
本発明は、印刷ジョブ作成装置および印刷ジョブ作成方法並びにこれらに用いるプログラムに関し、詳しくは、印刷条件の設定工程を含む複数の工程により印刷ジョブを作成して実行を指示する印刷ジョブ作成装置および印刷ジョブを作成する印刷ジョブ作成方法並びにこれらに用いるコンピュータ用のプログラムに関する。
【背景技術】
【０００２】
従来、この種の印刷ジョブ作成装置としては、デジタルカメラで撮影した画像を読み込んで簡単な修正を施したり、ポストカードやアルバムなどのレイアウトに組み込むと共に印刷条件を設定して印刷したりするものが提案されている。この装置では、予め写真を読み込んで所望のカテゴリーに分類してフィルムのように保存しておき、印刷ジョブの作成を、フィルムの選択，ポストカードの作成やアルバム印刷，カレンダーの作成などの印刷サービスの選択，印刷する写真の選択，スタイルや印刷オプションやプリンタを指定するプリント指定，写真が組み込まれたページのレイアウトの調整，印刷位置の微調整や印刷部数の入力と共に印刷実行を指示する印刷の工程で行なっている。プリンタの選択は、プリント指定の際にＯＳ（オペレーションシステム）で通常使用するプリンタとして設定されたプリンタが選択欄にデフォルトとして表示され、プルダウンメニューからプリンタを選択することができるようになっている（非特許文献１参照）。
【非特許文献１】「デジカメｄｅ！！同時プリント６ユーザーズ・マニュアル」，第１版，エー・アイ・ソフト株式会社，２００２年７月，ｐ．１００−１０４
【発明の開示】
【発明が解決しようとする課題】
【０００３】
しかしながら、こうした印刷ジョブ作成装置では、一般家庭の個人を対象に作成されているため、業務として用いた場合には、印刷効率が低いものになってしまう。個人の場合、通常はＡ４サイズやＢ４サイズまでの印刷が可能な１台のプリンタがコンピュータに接続されており、プリンタの指定は通常そのプリンタを用いるだけであるから、デフォルトとしてはそのプリンタが設定されていればよいが、業務として用いた場合には、印刷できるサイズが異なると共にセットされている用紙種類も異なる複数台のプリンタを用いて印刷することが想定され、印刷毎にプリンタを選択するものとすれば、印刷効率の低下を招いてしまう。また、業務として用いる場合には、撮影時の画像をより忠実に印刷するためのカラーマネジメントを効率よく行なう必要もある。
【０００４】
本発明の印刷ジョブ作成装置および印刷ジョブ作成方法は、カラーマネジメントを伴った高品質な印刷を行なう印刷ジョブを容易に作成することを目的の一つとする。また、本発明の印刷ジョブ作成装置および印刷ジョブ作成方法は、印刷ジョブに応じた印刷装置をデフォルトの印刷装置として簡易に設定すると共に設定したデフォルトの印刷装置に対する色空間情報を簡易に設定することを目的の一つとする。本発明の印刷ジョブ作成装置用のプログラムは、コンピュータを、カラーマネジメントを伴った高品質な印刷を行なう印刷ジョブを容易に作成することができる印刷ジョブ作成装置として機能させることを目的とする。本発明の印刷ジョブ作成方法用のプログラムは、コンピュータにカラーマネジメントを伴った高品質な印刷を行なう印刷ジョブを容易に作成する印刷ジョブ作成方法の各ステップを各手順として実行させることを目的とする。
【課題を解決するための手段】
【０００５】
本発明の印刷ジョブ作成装置および印刷ジョブ作成方法並びにこれらに用いるプログラムは、上述の目的の少なくとも一部を達成するために以下の手段を採った。
【０００６】
本発明の印刷ジョブ作成装置は、
印刷条件の設定工程を含む複数の工程により印刷ジョブを作成して実行を指示する印刷ジョブ作成装置であって、
ネットワークを介して接続された少なくとも一つの印刷装置から印刷ジョブを実行する印刷装置を設定する印刷装置設定手段と、
該印刷装置設定手段により設定可能な印刷装置に対する色空間情報を記憶する色空間情報記憶手段と、
カラーマネジメントを伴った印刷ジョブの実行を行なうか否かを設定するカラーマネジメント実行設定手段と、
印刷ジョブの実行が要請されたとき、前記カラーマネジメント実行設定手段によりカラーマネジメントを伴った印刷ジョブの実行を行なうと設定されているときには前記印刷装置設定手段により設定された印刷装置で前記色空間情報記憶手段に記憶された色空間情報のうち該設定された印刷装置に対する色空間情報を用いたカラーマネジメントを伴った印刷ジョブの実行がなされるよう該印刷ジョブの実行を指示し、前記カラーマネジメント実行設定手段によりカラーマネジメントを伴った印刷ジョブの実行を行なわないと設定されているときには前記印刷装置設定手段により設定された印刷装置で所定の色処理を伴った印刷ジョブの実行がなされるよう該印刷ジョブの実行を指示するジョブ実行指示手段と、
を備えることを要旨とする。
【０００７】
この本発明の印刷ジョブ作成装置では、カラーマネジメントを伴った印刷ジョブの実行を行なうと設定されているときには印刷ジョブを実行する印刷装置として設定した印刷装置でこの印刷装置に対する色空間情報を用いたカラーマネジメントを伴った印刷ジョブの実行がなされるよう印刷ジョブの実行を指示するから、カラーマネジメントを伴った高品質な印刷を行なう印刷ジョブを容易に作成して実行を指示することができる。また、カラーマネジメントを伴った印刷ジョブの実行を行なわないと設定されているときには印刷ジョブを実行する印刷装置として設定した印刷装置で所定の色処理を伴った印刷ジョブの実行がなされるよう印刷ジョブの実行を指示するから、所定の色処理を伴った印刷を行なう印刷ジョブを容易に作成して実行を指示することができる。
【０００８】
こうした本発明の印刷ジョブ作成装置において、印刷対象としての画像を入力する画像入力手段と、入力画像の所定の色空間への変換を行なうか否かを設定する色空間変換設定手段と、該色空間変換設定手段による設定に基づく前記所定の色空間への変換を伴って前記画像入力手段により入力された画像を表示すると共に該表示した画像に対する所定の編集の実行が可能な画像編集手段と、を備え、前記カラーマネジメント実行設定手段は前記色空間変換設定手段により前記入力画像の所定の色空間への変換を行なうと設定されたときにのみ前記カラーマネジメントを伴った印刷ジョブの実行を行なうと設定可能な手段であり、前記ジョブ実行指示手段は前記カラーマネジメント実行設定手段によりカラーマネジメントを伴った印刷ジョブの実行を行なうと設定されているときには前記画像編集手段による編集結果に係る画像を用いて前記印刷ジョブの実行がなされるよう指示する手段であるものとすることもできる。こうすれば、入力画像の所定の色空間への変換を用いてカラーマネジメントを伴った高品質な印刷を行なう印刷ジョブを容易に作成して実行を指示することができる。ここで、前記所定の色空間はｓＲＧＢカラースペースであるものとすることもできる。
【０００９】
また、本発明の印刷ジョブ作成装置において、前記ジョブ実行指示手段は、前記カラーマネジメント実行設定手段によりカラーマネジメントを伴った印刷ジョブの実行を行なうと設定されているときには前記設定された印刷装置に対する色空間情報を用いて印刷ジョブに係る画像の色変換を行なうと共に該色変換した画像が色補正なしのルックアップテーブルを用いて印刷されるよう指示する手段であり、前記カラーマネジメント実行設定手段によりカラーマネジメントを伴った印刷ジョブの実行を行なわないと設定されているときには印刷ジョブに係る画像が所定の色補正有りのルックアップテーブルを用いて印刷されるよう指示する手段であるものとすることもできる。
【００１０】
さらに、本発明の印刷ジョブ作成装置において、印刷ジョブに設定可能な用紙サイズ毎に、印刷ジョブを実行する印刷装置としてネットワークを介して接続されている複数の印刷装置から色空間情報の設定を伴ってデフォルトの印刷装置を設定するデフォルト装置設定手段を備え、前記印刷装置設定手段は、印刷ジョブに設定された用紙サイズに基づいて前記デフォルト装置設定手段により設定された印刷装置がデフォルト値として設定され、該デフォルト値を変更することにより印刷ジョブを実行する印刷装置を設定する手段であるものとすることもできる。こうすれば、印刷ジョブに応じた印刷装置をデフォルトの印刷装置として簡易に設定すると共に設定したデフォルトの印刷装置に対する色空間情報を簡易に設定することができる。この場合、前記デフォルト装置設定手段は用紙サイズに対して帳票形式でデフォルトの印刷装置と色空間情報とを設定する手段であるものとすることもできるし、前記デフォルト装置設定手段は用紙サイズ毎に表示される選択可能な印刷装置の一覧から選択することにより用紙サイズ毎のデフォルトの印刷装置を設定すると共に用紙サイズ毎に表示される選択可能な色空間情報の一覧から選択することにより該設定したデフォルトの印刷装置に対する色空間情報を設定する手段であるものとすることもできるし、前記デフォルト装置設定手段は用紙サイズ毎に設定されたデフォルトの印刷装置に対して用紙種類を設定可能な手段であるものとすることもできる。こうすれば、デフォルトの印刷装置や色空間情報や用紙種類の設定を容易に行なうことができる。
【００１１】
こうしたデフォルトの印刷装置を設定する態様の本発明の印刷ジョブ作成装置において、前記印刷ジョブ作成手段は複数種類の印刷サービスから一つの印刷サービスを選択して印刷ジョブを作成する手段であり、前記デフォルト装置設定手段は前記印刷サービス毎にデフォルトの印刷装置を設定する手段であるものとすることもできる。こうすれば、印刷サービス毎にデフォルトの印刷装置と色空間情報とを設定するから、印刷ジョブにより応じた印刷装置をデフォルトの印刷装置として設定すると共にデフォルトの印刷装置に対する色空間情報を設定することができる。この態様の本発明の印刷ジョブ作成装置において、前記複数種類の印刷サービスは、大伸ばし印刷サービス，ダイジェスト印刷サービス，カレンダー印刷サービス，ポストカード印刷サービス，写真名刺印刷サービス，証明写真印刷サービス，シール印刷サービス，ラベル印刷サービス，アルバム印刷サービスのいずれかを含むものとすることもできる。
【００１２】
本発明の印刷ジョブ作成装置用のプログラムは、コンピュータを、上述のいずれかの態様の本発明の印刷ジョブ作成装置、即ち、基本的には、印刷条件の設定工程を含む複数の工程により印刷ジョブを作成して実行を指示する印刷ジョブ作成装置であって、ネットワークを介して接続された少なくとも一つの印刷装置から印刷ジョブを実行する印刷装置を設定する印刷装置設定手段と、該印刷装置設定手段により設定可能な印刷装置に対する色空間情報を記憶する色空間情報記憶手段と、カラーマネジメントを伴った印刷ジョブの実行を行なうか否かを設定するカラーマネジメント実行設定手段と、印刷ジョブの実行が要請されたとき、前記カラーマネジメント実行設定手段によりカラーマネジメントを伴った印刷ジョブの実行を行なうと設定されているときには前記印刷装置設定手段により設定された印刷装置で前記色空間情報記憶手段に記憶された色空間情報のうち該設定された印刷装置に対する色空間情報を用いたカラーマネジメントを伴った印刷ジョブの実行がなされるよう該印刷ジョブの実行を指示し、前記カラーマネジメント実行設定手段によりカラーマネジメントを伴った印刷ジョブの実行を行なわないと設定されているときには前記印刷装置設定手段により設定された印刷装置で所定の色処理を伴った印刷ジョブの実行がなされるよう該印刷ジョブの実行を指示するジョブ実行指示手段と、を備える印刷ジョブ作成装置として機能させることを要旨とする。
【００１３】
この本発明の印刷ジョブ作成装置用のプログラムでは、コンピュータを上述のいずれかの態様の本発明の印刷ジョブ作成装置として機能させるから、本発明の印刷ジョブ作成装置が奏する効果、例えば、カラーマネジメントを伴った高品質な印刷を行なう印刷ジョブを容易に作成して実行を指示することができる効果や所定の色処理を伴った印刷を行なう印刷ジョブを容易に作成して実行を指示することができる効果などと同様な効果を奏することができる。
【００１４】
本発明の印刷ジョブ作成方法は、
印刷ジョブを作成する印刷ジョブ作成方法であって、
（ａ）ネットワークを介して接続された印刷装置に対する色空間情報を記憶しておき、
（ｂ）ネットワークを介して接続された印刷装置から印刷ジョブを実行する印刷装置を設定し、
（ｃ）カラーマネジメントを伴った印刷ジョブの実行を行なうか否かを設定し、
（ｄ）印刷ジョブの実行が要請されたときには、前記カラーマネジメントを伴った印刷ジョブの実行を行なうと設定したときには前記設定した印刷装置で前記記憶しておいた色空間情報のうち該設定した印刷装置に対する色空間情報を用いたカラーマネジメントを伴った印刷ジョブの実行がなされるよう該印刷ジョブの実行を指示し、前記カラーマネジメントを伴った印刷ジョブの実行を行なわないと設定したときには前記設定した印刷装置で所定の色処理を伴った印刷ジョブの実行がなされるよう該印刷ジョブの実行を指示する
ことを要旨とする。
【００１５】
この本発明の印刷ジョブ作成方法によれば、カラーマネジメントを伴った印刷ジョブの実行を行なうと設定したときには印刷ジョブを実行する印刷装置として設定した印刷装置でこの印刷装置に対する色空間情報を用いたカラーマネジメントを伴った印刷ジョブの実行がなされるよう印刷ジョブの実行を指示するから、カラーマネジメントを伴った高品質な印刷を行なう印刷ジョブを容易に作成して実行を指示することができる。また、カラーマネジメントを伴った印刷ジョブの実行を行なわないと設定したときには印刷ジョブを実行する印刷装置として設定した印刷装置で所定の色処理を伴った印刷ジョブの実行がなされるよう印刷ジョブの実行を指示するから、所定の色処理を伴った印刷を行なう印刷ジョブを容易に作成して実行を指示することができる。
【００１６】
本発明の印刷ジョブ作成方法用のプログラムは、コンピュータに、上述の印刷ジョブ作成方法の各ステップ、即ち、（ａ）ネットワークを介して接続された印刷装置に対する色空間情報を記憶しておくステップと、（ｂ）ネットワークを介して接続された印刷装置から印刷ジョブを実行する印刷装置を設定するステップと、（ｃ）カラーマネジメントを伴った印刷ジョブの実行を行なうか否かを設定するステップと、（ｄ）印刷ジョブの実行が要請されたときには、前記カラーマネジメントを伴った印刷ジョブの実行を行なうと設定したときには前記設定した印刷装置で前記記憶しておいた色空間情報のうち該設定した印刷装置に対する色空間情報を用いたカラーマネジメントを伴った印刷ジョブの実行がなされるよう該印刷ジョブの実行を指示し、前記カラーマネジメントを伴った印刷ジョブの実行を行なわないと設定したときには前記設定した印刷装置で所定の色処理を伴った印刷ジョブの実行がなされるよう該印刷ジョブの実行を指示するステップと、を各手順として実行させることを要旨とする。
【００１７】
この本発明の印刷ジョブ作成方法用のプログラムでは、コンピュータに上述の本発明の印刷ジョブ作成方法の各ステップを各手順として実行させるから、本発明の印刷ジョブ作成方法が奏する効果、例えば、カラーマネジメントを伴った高品質な印刷を行なう印刷ジョブを容易に作成して実行を指示することができる効果や所定の色処理を伴った印刷を行なう印刷ジョブを容易に作成して実行を指示することができる効果などと同様な効果を奏することができる。
【発明を実施するための最良の形態】
【００１８】
次に、本発明を実施するための最良の形態を実施例を用いて説明する。
【実施例】
【００１９】
図１は、本発明の一実施例である印刷ジョブ作成装置２０を含む印刷ジョブ管理システム１０の構成の概略を示す構成図である。実施例の印刷ジョブ管理システム１０は、印刷ジョブを作成する複数の印刷ジョブ作成装置２０と、大型プリンタ５０と、インクジェットプリンタ５２とをネットワーク１２で接続して構成されている。
【００２０】
実施例の印刷ジョブ作成装置２０は、アプリケーションソフトウエアとしての図示しない印刷ジョブ作成プログラムと印刷に用いるテンプレート画像などの支援データとがインストールされた一般的なコンピュータとして構成されており、印刷ジョブ作成プログラムが実行されたときに印刷ジョブ作成装置として機能する。印刷ジョブ作成装置２０は、カレンダーの作成やポストカードの作成など複数の印刷サービスとしての印刷ジョブを作成すると共に印刷ジョブの実行を指示する装置であり、機能ブロックとして、複数の印刷サービスから印刷ジョブを作成するサービスの設定を受け付けるサービス設定管理部２１と、印刷ジョブに用いる画像の登録を管理する画像登録管理部２２と、印刷ジョブに用いるテンプレートの設定を管理するテンプレート設定管理部２３と、画像のレイアウトの調整や画像に施す編集を管理するレイアウト編集管理部２４と、印刷を管理する印刷管理部２５と、作成中の印刷ジョブの中断処理を行なうジョブ中断処理部２６と、中断された作成中の印刷ジョブ（以下、作成中ジョブという）の作成を再開するジョブ再開処理部２７と、作成中ジョブの出力を管理するジョブ出力管理部２８と、作成中ジョブの入力を管理するジョブ入力管理部２９と、作成中ジョブや印刷実行済みのジョブを用いて新たな作成中ジョブを作成するジョブ複製処理部３０と、プリンタの設定を管理するプリンタ設定管理部３１とを備える。図１には、紙面の都合上、２台の印刷ジョブ作成装置２０を示したが、ネットワーク１２には３台以上の印刷ジョブ作成装置２０を接続することができる。印刷ジョブ作成装置２０の動作の詳細については後述する。
【００２１】
大型プリンタ５０は、Ａ１サイズまでの高品質なカラー印刷が可能なプリンタとして構成されている。また、インクジェットプリンタ５２は、Ａ４サイズまでの高品質なカラー印刷が可能なプリンタとして構成されている。図１には、紙面の都合上、プリンタとしては大型プリンタ５０とインクジェットプリンタ５２の２台を示したが、ネットワーク１２には同一または異なる種類の３台以上のプリンタを接続することができる。
【００２２】
次に、こうして構成された実施例の印刷ジョブ作成装置２０の動作について説明する。図２は、アプリケーションソフトウエアとしての図示しない印刷ジョブ作成プログラムを起動したときの印刷ジョブ作成装置２０の画面上に表示されるメニュー画面６０の一例を示す説明図である。図２のメニュー画面６０には、印刷サービスを選択するためのサービス選択領域６１と、印刷ジョブを一覧表示するジョブリスト領域６２とが設けられている。サービス選択領域６１には、プリントサービスの選択ボタンとして、画像を大判印刷する「大伸ばし」ボタン６１ａ，複数の画像をダイジェストとして印刷する「ダイジェスト」ボタン６１ｂ，画像を用いてカレンダーを印刷する「カレンダー」ボタン６１ｃ，種々のデザインのテンプレートを用いて画像を印刷する「アイデア」ボタン６１ｄ，ハガキに画像を印刷する「ポストカード」ボタン６１ｅ，写真付きの名刺を印刷する「写真名刺」ボタン６１ｆ，証明写真を印刷する「証明写真」ボタン６１ｇ，多数の画像のインデックスを印刷する「インデックス」ボタン６１ｈ，画像を用いたシールを作成する「シール」ボタン６１ｉ，ＣＤやＤＶＤなどのラベルを作成する「ラベル」６１ｊなど、アルバムサービスの選択ボタンとして、種々のデザインのテンプレートを用いてアルバムを作成する「デザイン」ボタン６１ｋ，シンプルなテンプレートを用いてアルバムを作成する「シンプル」６１ｌなど、ＣＤ書き込みサービスとして、画像をそのままＣＤに書き込む「ＣＤ書き込み（無変換）」ボタン６１ｍ，画像のサイズを１６００×１２００にリサイズしてＣＤに書き込む「ＣＤ書き込み（１６００×１２００）」ボタン６１ｎなど、が用意されている。ジョブリスト領域６２には、作成中ジョブについて、その状況，ジョブＩＤ，サービス名，受付時間，更新時間，用紙サイズ，部数，合計枚数，コメントが一覧表示されるようになっている。また、メニュー画面６０には、ジョブリスト領域６２の下方には、「アプリケーションの終了」ボタン６３が設けられている他、画像の取込先の設定やサービスの設定，作業フォルダの設定，ＣＤ書き込みの設定，カラーマネージメントの設定などの各種設定を行なう「環境設定」ボタン６４が設けられている。
【００２３】
「環境設定」ボタン６４を操作した際に表示される環境設定選択画面６５の一例を図３に示す。この図３の例では、サービスの設定が選択されており、このサービスの設定の画面から「印刷プリンタの設定」ボタン６５ａを操作することにより印刷プリンタ設定画面６６が表示され、印刷プリンタのデフォルトの設定を行なうことができるようになっている。印刷プリンタ設定画面６６の一例を図４に示す。実施例の印刷プリンタ設定画面６６は、図示するように、印刷サービスに対応したタグとして左側に一覧された用紙サイズ有効無効設定チェックボックス覧６６ａの各用紙サイズに対して帳票形式によりデフォルトのプリンタが設定できるようになっている。各設定領域は、左から印刷するプリンタを設定するプリンタ名６６ｂ、印刷用紙の種類を設定する用紙種類６６ｃ、カラースペースを定義する出力プロファイル６６ｄ、出力プロフィルの説明６６ｅとして構成されており、プリンタ名６６ｂ，用紙種類６６ｃ，出力プロファイル６６ｄについてはプルダウンメニューにより選択するようになっており、プリンタ名６６ｂによりプリンタを選択することにより、対応する用紙種類や出力プロファイルを選択できるようになっている。ここで、出力プロファイルは、実施例では、対応するプリンタのプリンタドライバをインストールするときに同時に印刷ジョブ作成装置２０の記憶装置（ハードディスク装置など）に記憶されるものとした。なお、プロファイル説明６６ｅは、出力プロファイル６６ｄで選択した出力プロファイルに基づいて自動的に対応する説明が表示されるようになっている。こうした設定は、プリンタの設定を管理するプリンタ設定管理部３１により行なわれる。
【００２４】
また、図３の環境設定選択画面６５から「カラーマネジメント」のタグを選択すると、図５に示すように、「レイアウト編集時に配置画像のＣＭＳによる色変換およびＴＩＦＦファイル出力時にプロファイルの埋め込みを行なう」か否かのチェックボックス６７が表示される。ここで、ＣＭＳは、何らの色補正を行なわず、機器のカラースペースへの変換を行なって忠実に色を再現して印刷しようとするカラーマネジメントシステムを意味する。このチェックボックス６７にチェックを入れると、入力画像を作業カラースペース（ｓＲＧＢ）への変換を行なって編集等を行なうことができ、チェックボックス６７にチェックを入れないと、入力画像の作業カラースペース（ｓＲＧＢ）への変換を行なうことなく編集等を行なうことができる。
【００２５】
実施例の印刷ジョブ作成装置２０による印刷ジョブの作成は、図６に例示する印刷ジョブ作成処理に基づいて行なわれる。印刷ジョブ作成処理は、まず、印刷サービスの選択を受け付ける処理から始まる（ステップＳ１００）。印刷サービスの選択は、ユーザが図４に例示したメニュー画面６０のサービス選択領域６１からいずれかのサービスボタン６１ａ〜６１ｍを選択することにより行なわれる。印刷ジョブ作成装置２０のサービス設定管理部２１は、こうしたメニュー画面６０の表示や選択されたサービスの選択の受け付け及び選択されたサービスによる印刷ジョブの作成の開始を管理している。
【００２６】
印刷サービスが選択されると、実施例の印刷ジョブ作成装置２０は、図７に例示する画像登録画面７０を表示して、選択された印刷サービスに用いる画像の登録処理を実行する（ステップＳ１１０）。図７の例の画像登録画面７０は、印刷ジョブの作成の工程を示す工程表示領域７１と、画像の登録処理を行なう画像登録処理領域７２とに区分けされている。工程表示領域７１には、選択された印刷サービスの種類を示す「サービス種類表示」ボタン７１ａや印刷ジョブの作成工程としての「画像登録」ボタン７１ｂ，「テンプレート選択」ボタン７１ｃ，「レイアウト編集」ボタン７１ｄ，「印刷」ボタン７１ｅ，印刷ジョブの作成を中断してメニュー画面６０に戻る「メニューに戻る」ボタン７１ｆが設けられている。画像登録処理領域７２は、「画像登録」ボタン７１ｂと連結して表示されており、印刷ジョブの作成工程が画像登録の工程にあることが解るようになっている。
【００２７】
この画像登録処理領域７２には、作業領域７３が設けられており、この作業領域７３には、画像が格納されている格納場所（ディレクトリやフォルダ）を選択することによりその格納場所に格納されている画像のサムネイルとファイル名とを一覧表示するための画像選択領域７４と、登録された画像のサムネイルとファイル名とを一覧表示するための登録画像表示領域７５とが設けられている。また、作業領域７３には、画像選択領域７４で選択された画像を登録して登録画像表示領域７５で表示するための「登録」ボタン７６や画像選択領域７４に表示されたすべての画像を登録して登録画像表示領域７５で表示するための「すべて登録」ボタン７７も設けられている。したがって、ユーザは、画像選択領域７４の格納場所表示領域７４ａから画像の格納場所を選択し、この選択により画像選択領域７４の画像表示領域７４ｂに表示される画像（選択された格納場所に格納された画像）から所望の画像を選択して「登録」ボタン７６を操作することにより所望の画像を登録して登録画像表示領域７５の画像表示領域７５ａに表示することができる。登録画像表示領域７５には、画像表示領域７５ａで選択した画像の登録を取り消すための「登録削除」ボタン７５ｂや登録されたすべての画像の登録を取り消すための「すべて登録削除」ボタン７５ｃなども設けられている。また、画像登録処理領域７２には、画像の登録処理を終了して次の作成工程に進むための「次のステップへ」ボタン７２ａや前の作成工程に戻る「前のステップへ」ボタン７２ｂも設けられている。なお、画像登録画面７０における「前のステップへ」ボタン７２ｂは、画像登録処理を終了してメニュー画面６０に戻るためのボタンとなるから、機能的には「メニューに戻る」ボタン７１ｆと同一となる。印刷ジョブ作成装置２０の画像登録管理部２２は、こうした画像の登録処理を管理している。
【００２８】
画像が登録されて「次のステップへ」ボタン７２ａが操作されると、図８に例示するテンプレート選択画面８０を表示して、登録された画像をはめ込むためのテンプレートの選択処理を実行する（ステップＳ１２０）。図８の例のテンプレート選択画面８０は、図７に例示した画像登録画面７０の工程表示領域７１と同様の工程表示領域８１と、テンプレートの選択を行なうテンプレート選択処理領域８２とに区分けされている。このテンプレート選択画面８０では、工程表示領域８１の「テンプレート選択」ボタン８１ｃがテンプレート選択処理領域８２と連結されており、印刷ジョブの作成工程がテンプレート選択の工程にあることが解るようになっている。
【００２９】
テンプレート選択処理領域８２には、テンプレートの設定を行なうための設定領域８３と、テンプレートを選択するためのテンプレート選択領域８４とが設けられている。設定領域８３には、テンプレートとして使用する使用レイアウトを直接入力する入力欄やフチなしプリントを設定するためのチェックボックス，「Print Image Matching ２」や「Ex
if Print」を使用してデジタルカメラとプリンタとのイメージマッチングを行なうためのチェックボックスが設けられている。テンプレート選択領域８４には、テンプレートの種類毎にタグ８５ａ〜８５ｆが設けられており、各タグ８５ａ〜８５ｆには、テンプレートのサムネイルとそのファイル名とを一覧表示するためのテンプレート表示領域８６ａ〜８６ｆが設けられている。ユーザは、各タグ８５ａ〜８５ｆから所望のタグを選択すると共に選択したタグのテンプレート表示領域に表示されたテンプレートから所望のテンプレートを選択することにより、テンプレートの選択を行なうことができる。なお、このテンプレートの選択が行なわれると、設定領域８３の使用レイアウトの入力欄に選択したファイル名が表示されるようになっている。なお、テンプレート選択領域８４には、用紙サイズを選択するための用紙サイズの選択入力欄も設けられている。また、テンプレート選択処理領域８２には、画像登録処理領域７２と同様に「次のステップへ」ボタン８２ａと「前のステップへ」ボタン８２ｂとが設けられている。テンプレート選択画面８０では、「前のステップへ」ボタン８２ｂが操作されると、画像登録画面７０を表示して印刷ジョブの作成工程における前の工程である画像の登録処理８ステップＳ１１０）に戻る。印刷ジョブ作成装置２０のテンプレート設定管理部２３は、こうしたテンプレートの選択処理を管理している。
【００３０】
テンプレートが選択されて「次のステップへ」ボタン８２ａが操作されると、図９に例示するレイアウト編集画面９０を表示して、画像のレイアウトを調整したり編集を施すレイアウト編集処理を実行する（ステップＳ１３０）。図９の例のレイアウト編集画面９０は、図７に例示した画像登録画面７０や図８に例示したテンプレート選択画面８０の工程表示領域７１，８１と同様の工程表示領域９１と、画像のレイアウトや編集などを行なうためのレイアウト編集処理領域９２とに区分けされている。このレイアウト編集画面９０では、工程表示領域９１の「レイアウト編集」ボタン９１ｄがレイアウト編集処理領域９２と連結されており、印刷ジョブの作成工程がレイアウト編集の工程にあることが解るようになっている。
【００３１】
レイアウト編集処理領域９２には、選択されたテンプレートと登録された画像とを組み合わせて画像のレイアウトを行なったり画像の編集を行なうためのレイアウト編集領域９３と、テンプレートに組み合わせる画像を選択するための画像選択領域９４と、選択したテンプレートのサムネイルが表示されるサムネイル表示領域９７とが設けられている。画像選択領域９４には、登録画像を選択するためのタグ９５ａとテキストを書き込むためのタグ９５ｂとが設けられており、タグ９５ａには登録された画像とそのファイル名を一覧表示する画像表示領域９６ａが設けられている。また、図示しないが、タグ９５ｂには、テキストを入力するためのテキスト入力欄が設けられている。画像選択領域９４には、選択された画像をレイアウト編集領域９３のテンプレートに配置する「配置」ボタン９４ａや選択された画像をレイアウト編集領域９３のテンプレートに配置された画像と入れ替える「入れ替え」ボタン９４ｂと、選択された１枚の画像をテンプレートの複数の領域に配置する「複数配置」ボタン９４ｃとが設けられている。したがって、ユーザは、タグ９５ａの画像表示領域９６ａに表示された画像から所望の画像を選択して「配置」ボタン９４ａを操作することにより選択されたテンプレートの領域に順に画像を配置することができる。また、レイアウト編集領域９３のテンプレートの領域に画像が配置されている状態でタグ９５ａの画像表示領域９６ａに表示された画像から所望の画像を選択して「入れ替え」ボタン９４ｂを操作することによりテンプレートの領域の画像を入れ替えることができる。さらに、タグ９５ａの画像表示領域９６ａに表示された画像から所望の画像を選択して「複数配置」ボタン９４ｃを操作することによりテンプレートの複数の領域に選択した画像を複数配置することができる。レイアウト編集処理領域９２には、画像登録画面７０やテンプレート選択画面８０と同様に「次のステップへ」ボタン９２ａや「前のステップへ」ボタン９２ｂが設けられている。また、レイアウト編集処理領域９２には、レイアウト編集領域９３に表示されたテンプレートに組み込まれた画像に編集を加えるための「編集」ボタン９２ｃとレイアウト編集領域９３の表示倍率を変更するための「表示倍率」ボタン９２ｄとが設けられている。レイアウト編集領域９３のテンプレートに配置された画像を選択して「編集」ボタン９２ｃを操作すると、プルダウンメニューが表示され、回転，フレームの回転，上下左右の反転，トリミング，型抜き，輪郭をソフト・シャープにする，明るさ・コントラストの設定，色を変える，セピア・モノクロ調に変換，クロスフィルタ，赤目の修正，クローン，自動修正などが選択できるようになっている。印刷ジョブ作成装置２０のレイアウト編集管理部２４は、こうした画像のレイアウトや編集処理を管理している。
【００３２】
レイアウト編集画面９０により選択されたテンプレートに画像を組み込み、更に所望の編集を施して「次のステップへ」ボタン９２ａが操作されると、図１０に例示する印刷画面１００を表示して、種々の印刷設定を行なって印刷する印刷処理を実行する（ステップＳ１４０）。図１０の例の印刷画面１００は、画像登録画面７０やテンプレート選択画面８０，レイアウト編集画面９０の工程表示領域７１，８１，９１と同様の工程表示領域１０１と、印刷設定と印刷実行とを指示するための印刷処理領域１０２とに区分けされている。この印刷画面１００では、工程表示領域１０１の「印刷」ボタン１０１ｅが印刷処理領域１０２と連結されており、印刷ジョブの作成工程が印刷の工程にあることが解るようになっている。
【００３３】
印刷処理領域１０２には、テンプレートに組み込まれレイアウトや編集が施されて印刷される画像を表示する印刷画像表示領域１０３と、印刷ジョブの情報を表示するジョブ情報表示領域１０４と、印刷条件を設定する印刷条件設定領域１０５と、プリンタを設定するプリンタ設定領域１０６とが設けられている。ジョブ情報表示領域１０４には、印刷ジョブの情報としてジョブＩＤや受付日時，サービス，テンプレートＩＤなどが表示されており、印刷部数を選択入力する部数設定欄も設けられている。印刷条件設定領域１０５には、プリント範囲を設定するためのラジオボタンや設定欄，プリント対象を設定するためのラジオボタン，ページ番号を印刷するか否かを設定するためのラジオボタンが設けられている。
【００３４】
プリンタ設定領域１０６には、印刷するプリンタを選択するプリンタ選択欄１０６ａやカラーマネジメントシステム（ＣＭＳ）を使用するか否かを選択するためのチェックボックス１０６ｂ，印刷領域を設定する領域設定入力欄などが設けられており、用紙サイズや選択したプリンタに設定されている用紙タイプも表示される。ここで、プリンタ設定領域１０６のプリンタ選択欄１０６ａには、環境設定として図４に例示した印刷プリンタ設定画面６６を用いて印刷サービス毎および用紙サイズ毎に設定されたデフォルトのプリンタが表示される。印刷ジョブを実行するプリンタをデフォルトのプリンタから変更するときには、プリンタ設定領域１０６のプリンタ選択欄１０６ａのプルダウンメニューを開いて表示されるプリンタを選択することにより行なう。このとき、選択されたプリンタに応じて出力プロファイルも選択されたプリンタに対応するデフォルトの出力プロファイルに変更される。また、用紙タイプには環境設定として図４に例示した印刷プリンタ設定画面６６を用いて印刷サービス毎および用紙サイズ毎に設定された用紙種類が表示される。カラーマネジメントシステム（ＣＭＳ）を使用するのチェックボックス１０６ｂは、図５の環境設定選択画面６５における「レイアウト編集時に配置画像のＣＭＳによる色変換およびＴＩＦＦファイル出力時にプロファイルの埋め込みを行なう」か否かのチェックボックス６７にチェックが入れられていることが条件としてチェックの入力が可能になる。即ち、カラーマネジメントシステム（ＣＭＳ）を使用するのチェックボックス１０６ｂは、図５のチェックボックス６７にチェックが入れられていないときには薄く表示されて非アクティブな状態となり、図５のチェックボックス６７にチェックが入れられているときには濃く表示されてアクティブな状態となるのである。このチェックボックス１０６ｂにチェックを入れると、図４の印刷プリンタ設定画面６６を用いて設定した出力プロファイルを用いて、何らの色補正も行なわずに忠実に色を再現して印刷しようとするカラーマネジメントシステムを使用して印刷することができる。即ち、実施例では、図５のチェックボックス６７にチェックが入れられたことにより、入力画像を作業カラースペース（ｓＲＧＢ）への変換を行なって編集等が行なわれた画像を、図４の印刷プリンタ設定画面６６を用いて設定された用紙サイズに対応するプリンタ（出力プリンタ）に対して設定した出力プロファイルを用いて作業カラースペースから出力プリンタ固有のカラースペースに変換し、この変換後の画像を「色補正なし」のルックアップテーブルを用いて印刷するのである。一方、チェックボックス１０６ｂにチェックを入れないと、図５のチェックボックス６７にチェックが入れられているときには入力画像に対して作業カラースペース（ｓＲＧＢ）への変換を行なって編集等が行なわれた画像に適当な色補正を行なうルックアップテーブルを用いて印刷し、図５のチェックボックス６７にチェックが入れられていないときには入力画像に対して作業カラースペース（ｓＲＧＢ）への変換を行なうことなく編集等が行なわれた画像に適当な色補正を行なうルックアップテーブルを用いて印刷することになる。
【００３５】
また、印刷処理領域１０２には、「前のステップへ」ボタン１０２ｂや印刷の実行を指示する「印刷開始」ボタン１０２ｃ，印刷の代わりに画像ファイルとして所望のディレクトリやフォルダに書き出す「書き出し」ボタン１０２ｄが設けられている。実施例の印刷ジョブ作成装置２０における印刷ジョブの作成は、この「印刷開始」ボタン１０２ｃや「書き出し」ボタン１０２ｄが操作される前までの処理であり、「印刷開始」ボタン１０２ｃや「書き出し」ボタン１０２ｄの操作は、こうした印刷ジョブの実行となる。なお、図９の印刷ジョブ作成処理では、この段階で終了するものとして示した。実施例の印刷ジョブ作成装置２０の印刷管理部２５は、こうした印刷に関する処理を管理している。
【００３６】
次に、印刷画面１００で「印刷開始」ボタン１０２ｃが操作されたときの処理について説明する。図１１は、「印刷開始」ボタン１０２ｃが操作されたときに印刷ジョブ作成装置２０で実行される印刷指示処理の一例を示すフローチャートである。印刷指示処理が実行されると、まず、印刷ジョブを実行すべきプリンタとして設定されたプリンタとこのプリンタに対応する出力プロファイルとを入力する（ステップＳ２００）。このとき印刷画面１００のプリンタ設定領域１０６のプリンタ選択欄１０６ａで印刷ジョブを実行するプリンタが変更されていなければ図４に例示する印刷プリンタ設定画面６６を用いて印刷サービス毎に用紙サイズ毎に設定されたデフォルトのプリンタとこのプリンタに対応するものとして設定された出力プロファイルとが入力されることになり、プリンタ選択欄１０６ａで印刷ジョブを実行するプリンタが変更されていれば、変更されたプリンタとこのプリンタに対応するものとして自動的に変更された出力プロファイルとが入力されることになる。
【００３７】
続いて、印刷画面１００のプリンタ設定領域１０６に設けられたカラーマネジメントシステム（ＣＭＳ）を使用するのチェックボックス１０６ｂにチェックが入力されているか否かを判定する（ステップＳ２１０）。カラーマネジメントシステム（ＣＭＳ）を使用するのチェックボックス１０６ｂにチェックが入力されているときには、出力プロファイルを用いて作業カラースペース（ｓＲＧＢカラースペース）から入力したプリンタ固有のカラースペースに変換し（ステップＳ２２０）、この変換後の画像を「色補正なし」のルックアップテーブルを用いて入力したプリンタで印刷するよう指示して（ステップＳ２３０）、印刷指示処理を終了する。この結果、何らの色補正も行なわずに忠実に色を再現して印刷することができる。
【００３８】
一方、ステップＳ２１０でカラーマネジメントシステム（ＣＭＳ）を使用するのチェックボックス１０６ｂにチェックが入力されていないと判定されたときには、編集等が行なわれた画像に適当な色補正を行なうルックアップテーブルを用いて印刷するよう指示して（ステップＳ２４０）、印刷指示処理を終了する。この結果、画像に適当な色補正を行なうルックアップテーブルを用いて印刷することができる。
【００３９】
実施例の印刷ジョブ作成装置２０では、この他、ジョブ中断処理部２６により作成中の印刷ジョブの作成を中断したり、ジョブ再開処理部２７により中断した印刷ジョブの作成を再開することもできる。また、ジョブ出力管理部２８により中断した作成中の印刷ジョブをファイル化してハードディスク装置などの外部記憶装置に記憶したり他の印刷ジョブ作成装置２０に送信したりすることもできるし、ジョブ入力管理部２９によりファイル化された作成中の印刷ジョブを入力することもできる。さらに、ジョブ複製処理部３０により作成中の印刷ジョブや実行済みの印刷ジョブを複製して同一または異なる印刷サービスの新規な印刷ジョブの作成を開始することもできる。これらのジョブ中断処理部２６やジョブ再開処理部２７，ジョブ出力管理部２８，ジョブ入力管理部２９，ジョブ複製処理部３０による処理は、本発明の中核をなさないので、これ以上の詳細な説明は省略する。
【００４０】
以上説明した実施例の印刷ジョブ作成装置２０によれば、印刷画面１００のプリンタ設定領域１０６に設けられたカラーマネジメントシステム（ＣＭＳ）を使用するのチェックボックス１０６ｂにチェックを入力することにより、図４の印刷プリンタ設定画面６６を用いて設定した出力プロファイルを用いて、何らの色補正も行なわずに忠実に色を再現して印刷しようとするカラーマネジメントシステムを使用して印刷することができる。即ち、カラーマネジメントを伴った高品質な印刷を行なう印刷ジョブを容易に作成して実行することができるのである。一方、このカラーマネジメントシステム（ＣＭＳ）を使用するのチェックボックス１０６ｂにチェックを入力しないことにより、画像に適当な色補正を行なうルックアップテーブルを用いて印刷することができる。
【００４１】
また、実施例の印刷ジョブ作成装置２０によれば、図４に例示する印刷プリンタ設定画面６６を用いて印刷サービス毎に用紙サイズ毎に容易にデフォルトのプリンタを設定することができると共にこのプリンタに対応する用紙種類と出力プロファイルとを容易に設定することができる。この結果、印刷ジョブに応じたプリンタ設定や出力プロファイルの設定を印刷ジョブ毎に設定する必要がない。したがって、印刷ジョブに応じたプリンタでこのプリンタに対応する出力プロファイルを用いて容易に印刷ジョブを実行することができる。また、実施例の印刷ジョブ作成装置２０では、デフォルトのプリンタや出力プロファイルの設定は帳票形式で行なうから、印刷サービス毎および用紙サイズ毎に容易にデフォルトのプリンタと出力プロファイルを設定することができる。
【００４２】
ここで、実施例の印刷ジョブ作成装置２０では、図４に例示する印刷プリンタ設定画面６６を用いてプリンタや出力プロファイルの設定を行なうプリンタ設定管理部３１が印刷装置設定手段と色空間情報記憶手段とに相当し、印刷画面１００のプリンタ設定領域１０６に設けられたカラーマネジメントシステム（ＣＭＳ）を使用するのチェックボックス１０６ｂの入力を管理する印刷管理部２５がカラーマネジメント実行設定手段に相当し、印刷管理部２５がジョブ実行指示手段に相当する。
【００４３】
実施例の印刷ジョブ作成装置２０では、図１０に例示する印刷画面１００のプリンタ設定領域１０６に設けられたカラーマネジメントシステム（ＣＭＳ）を使用するのチェックボックス１０６ｂは、図５の環境設定選択画面６５における「レイアウト編集時に配置画像のＣＭＳによる色変換およびＴＩＦＦファイル出力時にプロファイルの埋め込みを行なう」か否かのチェックボックス６７にチェックが入れられていることを条件としてチェックの入力が可能なものとしたが、図５の環境設定選択画面６５におけるチェックボックス６７へのチェックに拘わらず、カラーマネジメントシステム（ＣＭＳ）を使用するのチェックボックス１０６ｂにチェックの入力を可能とするものとしてもよい。この場合、図５の環境設定選択画面６５のチェックボックス６７を設けないものとしてもよい。
【００４４】
実施例の印刷ジョブ作成装置２０では、印刷サービス毎および用紙サイズ毎にデフォルトのプリンタと用紙種類と出力プロファイルとを設定するものとしたが、印刷サービス毎および用紙サイズ毎にデフォルトのプリンタと出力プロファイルは設定するが、用紙種類は設定しないものとしてもよい。また、デフォルトのプリンタと出力プロファイルは、印刷サービス毎および用紙サイズ毎に設定する必要はなく、印刷サービスには拘わらず、用紙サイズ毎に設定するものとしてもよい。
【００４５】
実施例の印刷ジョブ作成装置２０では、帳票形式により印刷サービス毎および用紙サイズ毎のデフォルトのプリンタと用紙種類と出力プロファイルとを設定するものとしたが、帳票形式以外の形式により印刷サービス毎および用紙サイズ毎のデフォルトのプリンタと用紙種類と出力プロファイルとを設定するものとしてもよい。この場合、印刷サービス毎や用紙サイズ毎にデフォルトのプリンタと出力プロファイルを設定しないものとしても構わない。
【００４６】
実施例の印刷ジョブ作成装置２０では、ネットワーク１２に接続されたプリンタをデフォルトのプリンタとして設定すると共にそのプリンタに対応する出力プロファイルを設定するものとしたが、このネットワーク１２に接続されたグローバルなネットワークを介して更に接続されたローカルネットワークに接続さているプリンタをデフォルトのプリンタとして設定すると共にそのプリンタに対応する出力プロファイルを設定するものとしてもよい。
【００４７】
実施例の印刷ジョブ作成装置２０では、メニュー画面６０から印刷サービスとして、大伸ばし，ダイジェスト，カレンダー，アイデア，ポストカード，写真名刺，証明写真，インデックス，シール，ラベルから選択できるものとしたが、これらのすべての印刷サービスを選択できる必要はなく、これらの印刷サービスの一部から選択できるものとしたり、これらの印刷サービスとは異なる印刷サービスから選択できるものとしたり、これらの印刷サービスとは異なる印刷サービスとこれらの印刷サービスとを組み合わせたサービスから選択できるものとしてもよい。
【００４８】
実施例の印刷ジョブ作成装置２０では、印刷サービスの他にアルバムサービスやＣＤ書き込みサービスを選択することができるものとしたが、こうしたアルバムサービスやＣＤ書き込みサービスを選択することができないものとしてもよい。また、ＣＤ書き込みサービスに代えて他の記憶媒体、例えばフレキシブルディスクやＭＤ，ＤＶＤ，フラッシュメモリなどへの書き込みサービスを行なうものとしてもよい。
【００４９】
実施例の印刷ジョブ作成装置２０では、ジョブリスト領域６２に作成中ジョブの情報として、状況，ジョブＩＤ，サービス名，受付時間，更新時間，用紙サイズ，部数，合計枚数，コメントを表示するものとしたが、これらの情報のすべてを表示する必要はなく、これらの情報のうちの一部の情報を表示するものとしたり、これらの情報とは異なる情報を表示するものとしてたり、これらの情報とは異なる情報とこれらの情報の一部とを組み合わせた情報を表示するものとしてもよい。
【００５０】
実施例の印刷ジョブ作成装置２０では、印刷ジョブの作成工程は、印刷サービスの選択した後の工程として，画像の登録処理の工程，テンプレートの選択処理の工程，レイアウトや編集の処理の工程，印刷の工程の４つの工程としたが、工程の設定は如何なる設定としてもかまわない。
【００５１】
実施例では、本発明の一実施例として印刷ジョブ作成装置２０の形態として説明したが、印刷ジョブ作成方法の形態としてもよいし、コンピュータを印刷ジョブ作成装置２０として機能させるプログラムの形態としたり、コンピュータに印刷ジョブ作成方法を実行させるプログラムの形態としてもよい。このプログラムの形態の場合、印刷ジョブ作成装置２０の各動作を各手順として適当なプログラミング言語を用いてプログラムすればよい。
【００５２】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【００５３】
【図１】印刷ジョブ管理システム１０の構成の概略を示す構成図。
【図２】メニュー画面６０の一例を示す説明図。
【図３】環境設定選択画面６５の一例を示す説明図。
【図４】印刷プリンタ設定画面６６の一例を示す説明図。
【図５】環境設定選択画面６５の一例を示す説明図。
【図６】印刷ジョブ作成処理の一例を示すフローチャート。
【図７】画像登録画面７０の一例を示す説明図。
【図８】テンプレート選択画面８０の一例を示す説明図。
【図９】レイアウト編集画面９０の一例を示す説明図。
【図１０】印刷画面１００の一例を示す説明図。
【図１１】印刷指示処理の一例を示すフローチャート。
【符号の説明】
【００５４】
１０  印刷ジョブ管理システム、１２  ネットワーク、２０  印刷ジョブ作成装置、２１  サービス設定管理部、２２  画像登録管理部、２３  テンプレート設定管理部、２４  レイアウト編集管理部、２５  印刷管理部、２６  ジョブ中断処理部、２７  ジョブ再開処理部、２８  ジョブ出力管理部、２９  ジョブ入力管理部、３０  ジョブ複製処理部、３１  プリンタ設定管理部、５０  大型プリンタ、５２  インクジェットプリンタ、６０  メニュー画面、６１  サービス選択領域、６２  ジョブリスト領域、６３  「アプリケーションの終了」ボタン、６４  「環境設定」ボタン、６５  環境設定選択画面、６５ａ  「印刷プリンタの設定」ボタン、６６  印刷プリンタ設定画面、６６ａ  用紙サイズ有効無効設定チェックボックス覧、６６ｂ  プリンタ名、６６ｃ  用紙種類、６６ｄ  出力プロファイル、６６ｅ  出力プロフィルの説明、６７  チェックボックス、７０  画像登録画面、７１，８１，９１，１０１  工程表示領域、７１ａ，８１ａ，９１ａ，１０１ａ  「サービス種類表示」ボタン，７１ｂ，８１ｂ，９１ｂ，１０１ｂ  「画像登録」ボタン、７１ｃ，８１ｃ，９１ｃ，１０１ｃ  「テンプレート選択」ボタン、７１ｄ，８１ｄ，９１ｄ，１０１ｄ  「レイアウト編集」ボタン、７１ｅ，８１ｅ，９１ｅ，１０１ｅ  「印刷」ボタン、７１ｆ，８１ｆ，９１ｆ，１０１ｆ  「メニューに戻る」ボタン、７２  画像登録処理領域、７２ａ，８２ａ，９２ａ  「次のステップへ」ボタン、７２ｂ，８２ｂ，９２ｂ，１０２ｂ  「前のステップへ」ボタン、７３  作業領域、７４  画像選択領域、７４ａ  格納場所表示領域、７４ｂ  画像表示領域、７５  登録画像表示領域、７５ａ  画像表示領域、７５ｂ  「登録削除」ボタン、７５ｃ  「すべて登録削除」ボタン、７６  「登録」ボタン、７７  「すべて登録」ボタン、８０  テンプレート選択画面、８２  テンプレート選択処理領域、８３  設定領域、８４  テンプレート選択領域、８５ａ〜８５ｆ  タグ、８６ａ  テンプレート表示領域、９０  レイアウト編集画面、９２  レイアウト編集処理領域、９２ｃ  「編集」ボタン、９２ｄ  「表示倍率」ボタン、９３  レイアウト編集領域、９４  画像選択領域、９４ａ  「配置」ボタン、９４ｂ  「入れ替え」ボタン、９４ｃ  「複数配置」ボタン、９５ａ，９５ｂ  タグ、９６ａ  画像表示領域、９７  サムネイル表示領域、１００  印刷画面、１０２  印刷処理領域、１０２ｃ  「印刷開始」ボタン、１０２ｄ  「書き出し」ボタン、１０３  印刷画像表示領域、１０４  ジョブ情報表示領域、１０５  印刷条件設定領域、１０６  プリンタ設定領域、１０６ａ  プリンタ選択欄、１０６ｂ  チェックボックス。
【図１】
2005267043.tif 000003
【図２】
2005267043.tif 000004
【図３】
2005267043.tif 000005
【図４】
2005267043.tif 000006
【図５】
2005267043.tif 000007
【図６】
2005267043.tif 000008
【図７】
2005267043.tif 000009
【図８】
2005267043.tif 000010
【図９】
2005267043.tif 000011
【図１０】
2005267043.tif 000012
【図１１】
2005267043.tif 000013